(57)【要約】【課題】キートップの輪郭が明瞭になるキースイッチ構造を提供すること。【解決手段】メンブレンシート１６の上に反射シート２４を貼り付けることで、キートップ１１の裏面で反射した光を反射シート２４で反射してキートップ１１の外周よりもキートップ外側へ出射させる。これにより、キートップ１１の外側が光って、キートップ１１の輪郭が明瞭になる。【選択図】図２
2015170391.tif 000002
【特許請求の範囲】
【請求項１】
光を透過させる光透過部が形成されたキートップと、
前記キートップを押下可能に支持するリンク機構と、
前記キートップの裏面に向けて光を出射する光出射部を前記キートップの下方に備えたバックプレートと、
前記バックプレートに設けられ、前記リンク機構を支持する支持部材と、
前記バックプレートの上に配置され、前記キートップの押下操作により導通する接点部を備えたメンブレンシートと、
前記接点部を導通させる押圧部を備え、前記キートップを前記接点部から離間する方向に付勢する弾性部材と、
前記メンブレンシートに形成され、前記光出射部から出射された光を通過させると共に、前記支持部材をキートップ側に露出させる孔と、
前記メンブレンシートに設けられ、前記キートップの裏面で反射した光を受けて前記キートップの外周から前記キートップの外側へ反射させる第１の反射層と、
を有するキースイッチ構造。
【請求項２】
前記第１の反射層は、前記キートップを平面視した際に、前記キートップの外周よりもキートップ外側に設けられている、請求項１に記載のキースイッチ構造。  
【請求項３】
前記第１の反射層は、前記キートップを平面視した際に、前記キートップの外周よりもキートップ内側に設けられている、請求項２に記載のキースイッチ構造。  
【請求項４】
前記キートップの裏面に第２の反射層が設けられている、請求項１に記載のキースイッチ構造。
【請求項５】
前記バックプレートには複数の前記キートップが間隔を開けて複数設けられ、前記キートップと前記キートップとの間にフレームが配置されている、請求項１〜請求項４の何れか１項に記載のキースイッチ構造。
【請求項６】
前記第１の反射層は、前記フレームよりも反射率が高い、請求項５に記載のキースイッチ構造。
【請求項７】
前記第１の反射層は、前記メンブレンシートの表面に印刷されたインク層、前記メンブレンシートに貼り付けられる反射シート、または複数のシートが積層された前記メンブレンシートのうちの最上層に設けられた反射性シートである、請求項１〜請求項６の何れか１項に記載のキースイッチ構造。
【発明の詳細な説明】
【技術分野】
【０００１】
本発明はキースイッチ構造に関し、情報処理機器、測定機器、医療機器、パーソナルコンピュータ等などのキーボードに用いられるキースイッチ構造に関する。
【背景技術】
【０００２】
従来のキーボードにおいて、キートップの文字等を光らせるために、キートップの下側に配置されるバックプレートの光出射部からキートップの裏側に光を照射し、キースイッチの文字、記号等を光らせるキースイッチ構造が知られている（例えば、特許文献１、２参照）。
この種のキースイッチ構造では、キートップを押圧可能に支持するリンク機構を備え、このリンク機構はバックプレートに設けた光を透過させる材料からなる支持部材に支持されている。
【先行技術文献】
【特許文献】
【０００３】
【特許文献１】特開２００８−２３５０６５号公報
【特許文献２】特開２０１１−１８４８４号公報
【発明の概要】
【発明が解決しようとする課題】
【０００４】
ところで、バックプレートから出射された光の一部は、キートップの裏面（下面）で反射し、キートップとバックプレートとの間の隙間を通り、キートップの外周から漏れる。このため、キーボードのおかれている環境が暗い場合には、キートップの周囲が光って見える。
【０００５】
しかしながら、キートップとバックプレートとの間にはキートップを支持するリンク機構等が配置されているため、リンク機構等の影になった部分の光量が不足してキートップの周囲には暗い部分もあり、改善の余地があった。
【０００６】
本発明は上記事実を考慮し、キートップの周囲から光を出射させ、キートップの輪郭が明瞭になるキースイッチ構造を提供することが目的である。
【課題を解決するための手段】
【０００７】
請求項１に記載のキースイッチ構造は、光を透過させる光透過部が形成されたキートップと、前記キートップを押下可能に支持するリンク機構と、前記キートップの裏面に向けて光を出射する光出射部を前記キートップの下方に備えたバックプレートと、前記バックプレートに設けられ、前記リンク機構を支持する支持部材と、前記バックプレートの上に配置され、前記キートップの押下操作により導通する接点部を備えたメンブレンシートと、前記接点部を導通させる押圧部を備え、前記キートップを前記接点部から離間する方向に付勢する弾性部材と、前記メンブレンシートに形成され、前記光出射部から出射された光を通過させると共に、前記支持部材をキートップ側に露出させる孔と、前記メンブレンシートに設けられ、前記キートップの裏面で反射した光を受けて前記キートップの外周から前記キートップの外側へ反射させる第１の反射層と、を有する。
【０００８】
次に、請求項１に記載のキースイッチ構造の作用を説明する。
請求項１に記載のキースイッチ構造では、弾性部材の付勢力と対抗するようにキートップを押下すると、弾性部材が圧縮されて押圧部が接点部を導通させる。
バックプレートの光出射部か出射された光は、メンブレンシートの孔を介してキートップ側に出射され、キートップの裏面に照射される。そして、キートップの光透過部を透過した光がキートップ外側へ出射される。請求項１に記載のキースイッチ構造では、このようにしてキートップの光透過部を光らせることができる。
【０００９】
また、キートップの裏面に照射された光は、キートップの裏面で反射し、反射した光の一部が第１の反射層に照射され、第１の反射層は、照射された光をキートップの外周からキートップの外側へ反射させる。このため、キートップの周囲が光って見える。
【００１０】
第１の反射層は、照射された光をキートップの外周からキートップ外側へ効率的に反射するので、キートップの周囲は、例えば、リンク機構の影になって光量不足となる部位においても、第１反射層を設けない場合に比較して明るく光って見える。
【００１１】
請求項２に記載の発明は、請求項１に記載のキースイッチ構造において、前記第１の反射層は、前記キートップを平面視した際に、前記キートップの外周よりもキートップ外側に設けられている。
【００１２】
請求項２に記載のキースイッチ構造では、第１の反射層が、キートップを平面視した際に、キートップの外周よりもキートップ外側に設けられているため、キートップの外周よりもキートップ外側で光を反射させることができる。
【００１３】
請求項３に記載の発明は、請求項２に記載のキースイッチ構造において、前記第１の反射層は、前記キートップを平面視した際に、前記キートップの外周よりもキートップ内側に設けられている。
【００１４】
請求項３に記載のキートップ構造では、第１の反射層がキートップを平面視した際に、キートップの外周よりもキートップ内側に設けられているため、キートップの裏面で反射した光をキートップの裏面に向けて反射させることができる。キートップの裏面とキートップの外周よりもキートップ内側に配置された第１の反射層との間で光を多重反射させることができるため、キートップの光透過部に照射される光、またはキートップの外周よりも外側へ射出される光の光量を増加させることができる。
【００１５】
請求項４に記載の発明は、請求項１に記載のキースイッチ構造において、前記キートップの裏面に第２の反射層が設けられている。
【００１６】
請求項４に記載のキースイッチ構造では、キートップの裏面に、光出射部から出射された光を反射さする第２の反射層が設けられているため、光出射部から出射された光を第２の反射層でもって第１の反射層に向けて効率的に反射することができる。このため、第１の反射層で反射する光の光量が増加する。
【００１７】
請求項５に記載の発明は、請求項１〜請求項４の何れか１項に記載のキースイッチ構造において、前記バックプレートには複数の前記キートップが間隔を開けて複数設けられ、前記キートップと前記キートップとの間にフレームが配置されている。
【００１８】
請求項５に記載のキースイッチ構造では、キートップとキートップとの間にフレームが配置されている。このため、第１の反射層はフレームによって一部が覆われるが、キートップの外周よりもキートップ外周側においては、キートップとフレームとの間の第１の反射層が枠状に光って見える。
【００１９】
請求項６に記載の発明は、請求項５に記載のキースイッチ構造において、前記第１の反射層は、前記フレームよりも反射率が高い。
【００２０】
請求項６に記載のキースイッチ構造では、第１の反射層がフレームよりも反射率が高いため、キートップとフレームとの間の第１の反射層は明るく、フレームは暗く見える。
【００２１】
請求項７に記載の発明は、請求項１〜請求項６の何れか１項に記載のキースイッチ構造において、前記第１の反射層は、前記メンブレンシートの表面に印刷されたインク層、前記メンブレンシートに貼り付けられる反射シート、または複数のシートが積層された前記メンブレンシートのうちの着色された反射性シートである。
【００２２】
請求項７に記載のキースイッチ構造では、第１の反射層がメンブレンシートの表面に印刷されたインク層である場合には、インク層で光が反射する。
第１の反射層がメンブレンシートに貼り付けられる反射シートである場合には、反射シートで光が反射する。
また、第１の反射層が、複数のシートが積層されたメンブレンシートのうちの反射性シートである場合には、反射性シートで光が反射する。
【発明の効果】
【００２３】
請求項１に記載のキースイッチ構造は上記構成としたので、キートップの輪郭が明瞭になる、という優れた効果を有する。
請求項２に記載のキースイッチ構造は上記構成としたので、キートップを平面視した際に、キートップの外周よりもキートップ外側全周が光って見えるようになる。
請求項３に記載のキースイッチ構造は上記構成としたので、光照射部、及びキートップの外周側をより明るく光らせることができる。
請求項４に記載のキースイッチ構造は上記構成としたので、キートップの外周側をより明るく光らせることができる。
請求項５に記載のキースイッチ構造は上記構成としたので、キートップとフレームとの間が枠状に光って見え、光って見える部分の輪郭が明瞭となる。
請求項６に記載のキースイッチ構造は上記構成としたので、キートップとフレームとの間がフレームよりも確実に明るく見える。
請求項７に記載のキースイッチ構造は上記構成としたので、簡単な構成で第１の反射層を構成することができる。
【図面の簡単な説明】
【００２４】
【図１】本発明の第１の実施形態に係るキースイッチ構造を示すキートップを取り除いた平面図である。
【図２】第１の実施形態に係るキースイッチ構造を示す縦断面図である。
【図３】第１の実施形態に係るキースイッチ構造を示す分解斜視図である。
【図４】反射シートを除いたバックプレート、メンブレンシート、第１ホルダ、及び第２ホルダを示す平面図である。
【図５】バックプレート、メンブレンシート、反射シート、第１ホルダ、及び第２ホルダを図４の矢印Ａ方向から見た側面図である。
【図６】バックプレート、メンブレンシート、反射シート、第１ホルダ、及び第２ホルダを図４の矢印Ｂ方向から見た側面図である。
【図７】第１の実施形態に係るキースイッチ構造において、キートップの外周側が光っている様子を示す平面図である。
【図８】第２の実施形態に係るキースイッチ構造を示す平面図である。
【図９】第２の実施形態に係るキースイッチ構造を示す縦断面図である。
【発明を実施するための形態】
【００２５】
［第１の実施形態］
以下、図面を参照して本発明によるキースイッチ構造１０の第１の実施形態について説明する。図１、及び図２に示すように、本実施の形態のキースイッチ構造は、キートップ１１、キートップ１１を支持する第１リンク部材１２と第２リンク部材１３とを含んで構成されるリンク機構１８、弾性部材としてのラバードーム１５、メンブレンシート１６、バックプレート１７、リンク機構１８をバックプレート１７に支持する一対の第１ホルダ１４ｂ、及び第２ホルダ１４ａからなるホルダ１４等を含んで構成されている。
【００２６】
バックプレート１７は、透明等の光の透過性の高い材料（合成樹脂等）で形成された板材である。バックプレート１７の一側面に対向してＬＥＤ８が設けられている。ＬＥＤ８から出射した光は、バックプレート１７の内部を屈曲しながら通過し、キートップ１１の直下に形成された複数の反射部１７ｃで反射してキートップ側へ出射する（図３の矢印Ｕ参照）。なお、本実施形態のＬＥＤ８は、一例として白色の光を出射するものである。また、キースイッチ構造１０の周囲の明るさを光センサで検出し、周囲の明るさが暗い場合にＬＥＤ８が点灯されるようになっている。
【００２７】
図３に示すように、反射部１７ｃは、例えば、白色インクで印刷された丸形状のドットであるが、バックプレート１７の一部を凹状に加工したものであっても良い。また、反射部１７ｃは、少なくともキートップ１１に形成された後述する文字、記号等の光透過部２３の下方に形成されていれば良く、反射部１７ｃの数、及び配置は、光透過部２３の形状、サイズ等によって適宜変更されるものである。
【００２８】
図２、及び図３に示すように、バックプレート１７には、キートップ１１と対向する位置に、リンク機構１８を支持する一対の第１ホルダ１４ｂ、及び第２ホルダ１４ａが配置されている。第１ホルダ１４ｂ及び第２ホルダ１４ａは、透明、半透明または乳白色等の光の透過性の高い合成樹脂等の材料で形成されている。
【００２９】
図４〜図６に示すように、第１ホルダ１４ｂの下端面（バックプレート１７側の端面）には、固定ピン１４ｅが設けられており、この固定ピン１４ｅがバックプレート１７に形成された取付孔１７ｂに挿入されている。取付孔１７ｂの下面側の周囲には凹部（座グリ）１７ａが形成されおり、固定ピン１４ｅの先端を加熱により凹部１７ａ内で扁平に変形させることで、第１ホルダ１４ｂをバックプレート１７に固定している。また、インサート成形でも第１ホルダ１４ｂをバックプレート１７に固定可能である。
【００３０】
また、第２ホルダ１４ａのバックプレート１７側の下端面にも、固定ピン１４ｅが設けられており、この固定ピン１４ｅもバックプレート１７に形成された取付孔１７ｂに挿入されており、固定ピン１４ｅの先端を加熱により凹部１７ａ内で扁平に変形させることで、第２ホルダ１４ａをバックプレート１７に固定している。また、インサート成形でも第２ホルダ１４ａをバックプレート１７に固定可能である。
【００３１】
（メンブレンシート）
図４、及び図５に示すように、メンブレンシート１６は、配線パターン２１が印刷された２枚のシート、すなわち上部シート１６ａと下部シート１６ｃとの間にスペーサシート１６ｂが挟まれており、これらが互いに貼合された構成とされている。各シートは光を透過する柔軟な合成樹脂素材で形成されている。メンブレンシート１６は、下部シート１６ｃがバックプレート１７の上に配置されている。
【００３２】
図３、及び図４に示すように、メンブレンシート１６は、キートップ１１の中央部の直下に接点部１６ｅを備えている。接点部１６ｅは、メンブレンシート１６のスペーサシート１６ｂを挟んで貼合された上部シート１６ａと下部シート１６ｃの、対向するそれぞれの箇所に電気接点が配置されており、メンブレンシート１６の接点部１６ｅが厚さ方向に押圧されると、上部シート１６ａの電気接点と下部シート１６ｃの電気接点とが接触して電気的に接続が行われ、スイッチとしては閉成状態となる。
【００３３】
キートップ１１の押下を解除すると、各構成部品はラバードーム１５とメンブレンシート１６との復元力（弾性）によって元の状態に戻り、上部シート１６ａの電気接点と下部シート１６ｃの電気接点とが離間して電気的接触が絶たれるため、スイッチとしては開放状態となる。
【００３４】
図３〜図５に示すように、第１ホルダ１４ｂ、第２ホルダ１４ａの位置に合わせてメンブレンシート１６に設けられた孔１９、２０から、それぞれ第１ホルダ１４ｂ、第２ホルダ１４ａが突出している。
図１に示すように、キートップ１１を平面視した際に、これらの孔１９、２０は、キートップ１１の外周縁（外周部）よりも内側に形成されている。これらの孔１９、２０は、打ち抜き加工によって形成することが出来る。
【００３５】
図３、及び図４に示すように、メンブレンシート１６の上部シート１６ａには、ラバードーム１５が接点部１６ｅの上側に接着剤などで固定されている。図２に示すように、ラバードーム１５はゴム等を素材として略カップ状に形成され、内面の中央部には接点押下部１５ａがメンブレンシート１６に向けて突出形成されている。なお、本実施形態のラバードーム１５は、光が透過するように半透明となっている。
【００３６】
キートップ１１が押下されることにより、キートップ１１は、後述するリンク機構１８の作用によってメンブレンシート１６（バックプレート１７）に向けて平行を保ちながら移動してラバードーム１５が圧縮変形すると共に、内部に形成されている接点押下部１５ａがメンブレンシート１６の接点部１６ｅに当接してこれを押圧し、スイッチとして閉成状態となる。
【００３７】
キートップ１１の押下を解除すると、各構成部品はラバードーム１５とメンブレンシート１６との復元力（弾性）によって元の状態に戻り、メンブレンシート１６の接点部１６ｅが接触を失い、電気的接触が絶たれるためスイッチは開放状態となる。
【００３８】
図３、及び図４に示すように、上部シート１６ａの孔１９と孔１９の間、及び孔１９と孔２０との間は、電気接点と接続される配線パターン２１の形成された配線部２２とされ、上部シート１６ａの上には、配線部２２以外の表面（キースイッチ側の上面）全体に、上部シート１６ａよりも光の反射率の高い反射シート２４が貼り付けられている。なお、反射シート２４には、孔１９、孔２０、及び配線部２２を露出させるための開口２４Ａが形成されている。
【００３９】
本実施形態の反射シート２４は、合成樹脂等からなる白色の粘着シートである。反射シート２４は、合成樹脂が白色であっても良く、シート表面に白色のインクが印刷等により塗布されているものであっても良い。なお、本実施形態の反射シート２４は、光を透過しない。本実施形態では、反射シート２４の開口２４Ａから見える孔１９、孔２０、及び配線部２２が、バックプレート１７から出射された光をキートップ１１側へ透過可能とする光透過部とされており、バックプレート１７から出射された光は、光透過部、及び開口２４Ａを介してキートップ１１の裏面に向けて出射される。なお、図１、及び図３に示すように、開口２４Ａのサイズは、キートップ１１のサイズよりも小さく、キートップ１１を平面視した際に、開口２４Ａはキートップ１１の外周縁よりも内側に配置されている。即ち、キートップ１１を平面視した際に、反射シート２４はキートップ１１の外周縁よりもキートップ内側に配置されている。
【００４０】
（キートップ）
図１、及び図３に示すように、キートップ１１の裏側（バックプレート１７に対向する側）には、第１リンク部材１２の他端側に設けられた摺動ピン１２ａを回転可能にかつ水平方向（キートップ１１の裏面に沿った方向）に平行移動（運動）可能に支持する摺動ピン支持部１１ａと、第２リンク部材１３の一端側に設けられた回転ピン１３ａを回転可能に支持する回転支持部１１ｂとが設けられている。
【００４１】
キートップ１１は、透明または半透明（例えば、乳白色等）の合成樹脂により形成されている。キートップ１１の表面には、光の透過を抑えるために調整された単色または多色の塗装が施されており、塗装の一部をレーザーマーキングなどで文字や記号の形に取り除くことにより、図３に示すような抜き文字（あるいは抜き記号）である光透過部２３が形成されている。なお、この光透過部２３は、キートップ１１の表面に通常記されている文字、記号、数値等をすべて含むものである。
【００４２】
（リンク機構）
図１〜図３に示すように、中央にラバードーム１５が貫通するように枠形状とされた第２リンク部材１３には、対向する２辺１３ｄの中央付近に外側へ突出したリンク回転軸１３ｃが設けられ、対向する２辺１３ｄの他端側を連結するように摺動ピン１３ｂが設けられている。
【００４３】
第２リンク部材１３の摺動ピン１３ｂは，バックプレート１７の第１ホルダ１４ｂに回転可能かつ水平方向（バックプレート１７の表面に沿った方向）に平行移動可能に挿入されて保持されており、第１リンク部材１２の一端側に設けられた回転ピン１２ｂはバックプレート１７の第２ホルダ１４ａに回転可能に保持されている。
【００４４】
第２リンク部材１３と第１リンク部材１２とは、第１リンク部材１２の内側に第２リンク部材１３が嵌り込む入れ子構造となっており、これら第２リンク部材１３と第１リンク部材１２とでパンタグラフ方式のリンク機構１８が構成されている。
第２リンク部材１３のリンク回転軸１３ｃは、第１リンク部材１２の枠内周面側に設けられた軸穴１２ｃに嵌り込み、リンク回転軸１３ｃを軸として第１リンク部材１２と第２リンク部材１３とが互いに回転可能に組み合わされている。
【００４５】
これによりキートップ１１が押下された際、回転可能に支持された回転ピン１３ａ、及び回転ピン１２ｂはキートップ１１およびバックプレート１７に対する位置は変わらず、その場所で回転するのみであるのに対して、摺動ピン１３ｂ、及び摺動ピン１２ａはキートップ１１が押下されるにしたがってバックプレート１７上およびキートップ１１裏側を摺動する。
【００４６】
これら第１リンク部材１２、及び第２リンク部材１３は、共に光を透過する透明、または半透明（乳白色等）の合成樹脂で形成されている。
【００４７】
図２、及び図３に示すように、本実施形態のメンブレンシート１６には、アッパーカバー２８が被せられている。アッパーカバー２８には、キートップ１１を露出させるための開口３０が形成されている。開口３０のサイズは、キートップ１１のサイズよりも大きく形成されており、キートップ１１の外周と開口３０との間には隙間Ｓ１が設けられている。このため、キートップ１１を平面視すると、隙間Ｓ１を介して反射シート２４が枠状に見えるようになっている。
【００４８】
本実施形態の反射シート２４は、メンブレンシート１６の上面（上部シート１６ａ）、キートップ１１、及びアッパーカバー２８よりも光の反射率（光の明度）が大きく設定されている。例えば、キートップ１１、及びアッパーカバー２８の色が、黒、赤、青、緑、紫、オレンジ、ピンク等である場合、反射シート２４の色は、例えば、白、銀、パールホワイト等にすることが好ましい。また、キートップ１１、及びアッパーカバー２８の色が銀の場合には、反射シート２４は、白、パールホワイト等にすることが好ましい。なお、反射シート２４は、蛍光色であっても良い。
【００４９】
(作用）
本実施形態のキースイッチ構造１０では、キートップ１１を押下すると、キートップ１１は、リンク機構１８の作用によってメンブレンシート１６（バックプレート１７）に向けて平行を保ちながら移動してラバードーム１５を圧縮変形させ、接点押下部１５ａがメンブレンシート１６の接点部１６ｅを押圧してスイッチとして閉成状態となる。
【００５０】
また、キートップ１１から手を離すと、キートップ１１は、ラバードーム１５及びリンク機構１８の作用によってメンブレンシート１６（バックプレート１７）から離れる方向に平行を保ちながら移動して元の高さまで復帰し、接点押下部１５ａがメンブレンシート１６の接点部１６ｅから離間してスイッチとしては開放状態となる（図２参照）。
【００５１】
ＬＥＤ８が点灯すると、ＬＥＤ８から出射した光がバックプレート１７の内部を屈曲しながら通過し、キートップ１１の直下に形成された反射部１７ｃで反射してキートップ側へ出射する（図３の矢印Ｕ参照）。バックプレート１７からキートップ１１側へ出射した光は、孔１９、孔２０を通過する共に、配線部２２、第１ホルダ１４ｂ、第２ホルダ１４ａ、第１リンク部材１２、第２リンク部材１３、及びラバードーム１５を透過してキートップ１１の裏面に至り、キートップ１１を透過して文字、記号等の光透過部２３からキートップ上方へ出射する。これによって、キートップ１１の文字、記号等の光透過部２３を光らせることができ、周囲の環境が暗い場合には、文字、記号等の光透過部２３が光って見える。
【００５２】
ところで、バックプレート１７からキートップ１１の裏面へ向けて出射された光は、キートップ１１の裏面で様々な方向、具体的には、キートップ１１の下方、及びキートップ１１の斜め下方に反射し、キートップ１１の裏面で反射した光の一部は反射シート２４に向けて出射される。反射シート２４に照射された光の一部は、キートップ１１とメンブレンシート１６との間の隙間Ｓ２を介してキートップ１１の外周よりも外側へ向けて出射される（図２の矢印Ｕ参照）、他の一部はキートップ１１の裏面に向けて出射される。
【００５３】
キートップ１１の外周よりも外側へ向けて出射された光は、白色の反射シート２４で拡散反射するため、周囲の環境が暗い場合には、キートップ１１の周囲が白く光って見える。
【００５４】
ところで、反射シート２４が設けられておらず、例えば、メンブレンシート１６の表面が白色以外の暗い色である場合、光の反射率は低くなる（即ち、光が吸収される率が大きくなる。）。キートップ１１の裏面で反射した光は、直接的にメンブレンシート１６の表面に照射される場合と、リンク機構１８を透過してメンブレンシート１６の表面に照射される場合とが有り、後者の場合前者の場合に比較してメンブレンシート１６の表面に照射される光が弱まる。このため、メンブレンシート１６の表面において、キートップ裏面で反射した光が直接的に照射された部分は光って見えるが、リンク機構１８、ホルダ１４等を透過した光が照射された部分は、弱い光が照射されているため、見た目に光っては見えない場合がある。
【００５５】
本実施形態では、メンブレンシート１６の表面に反射率が高い白色の反射シート２４を貼り付けているため、リンク機構１８、ホルダ１４等を透過した弱い光が照射された部位でも明確に光って見え、キートップ１１の外周よりもキートップ外側全周が光って見える。これによって、キートップ１１の外縁（輪郭）を明瞭に見せることができ、視認性が向上する。
【００５６】
さらに、本実施形態のキースイッチ構造１０では、キートップ１１の外周を囲むようにアッパーカバー２８が設けられており、キートップ１１とアッパーカバー２８との間に隙間Ｓ１が設けられているため、周囲が暗い環境下において、図７に示すように、反射シート２４の光った部分（図７において、白色の部分）が、外輪郭の明確な枠状に見える。なお、図７は、キートップ１１、及びアッパーカバー２８が黒色で、反射シート２４が白色としたキースイッチ構造１０の一例を示しており、キートップ１１、アッパーカバー２８、及び反射シート２４は、他の色であっても良いのは勿論である。
【００５７】
本実施形態のキースイッチ構造１０では、キートップ１１の外周よりもキートップ内側に反射シート２４が入り込んでいるので、開口２４Ａを出射した光が、キートップ１１の裏面とキートップ１１の外周よりもキートップ内側に入り込んだ反射シート２４との間で多重反射し、光透過部２３に照射される光の光量が増加するので、光透過部２３をより明るく光らせることができる。
【００５８】
本実施形態のキースイッチ構造１０は、メンブレンシート１６の表面に反射シート２４を貼り付ける構成であったが、本発明はこれに限らず、例えば、上部シート１６ａの表面が印刷等により白色等に塗装されていても良く、メンブレンシート１６の上部シート１６ａ自体が反射率の高い白色等に着色された反射性シートであっても良い。白色等に着色された上部シート１６ａを用いることで、メンブレンシート１６とは別部品である反射シート２４は必要無くなる。
【００５９】
［第２の実施形態］
本実施形態では、図示を省略するが、光透過部２３を除くキートップ１１の裏面全体が印刷等により白色に塗装されている。このため、キートップ１１の裏面の光の反射率が高くなり、反射シート２４に向かって照射される光の光量を増やすことができ、キートップ１１の外周側をより明るく見せることができる。
【００６０】
また、バックプレート１７と光の反射率が高くなったキートップ１１の裏面との間で光が多重反射するため、キートップ１１の光透過部２３に照射される光の光量が増加し、光透過部２３をより明るく光らせることができる。
【００６１】
なお、キートップ１１の裏面は、反射シート２４と同様に、白色に限らず、銀色、パールホワイト色等の反射率の高い色であれば良い。また、キートップ１１の裏面に細かな凹凸を形成し、凹凸で光を拡散反射させる構成としても良い。
【００６２】
［第３の実施形態］
前述した実施形態では、キースイッチ構造１０にアッパーカバー２８が設けられていたが、図８、及び図９に示すように、アッパーカバー２８が設けられていない構成であっても良い。本実施形態のキースイッチ構造１０では、キートップ１１とキートップ１１との間に隙間が形成されており、この隙間から反射シート２４が光って見えるようになっている。
【００６３】
以上、本発明の実施例について記述したが、本発明は上記の実施例に何ら限定されるものではなく、本発明の要旨を逸脱しない範囲において種々なる態様で実施し得ることは言うまでもない。
【符号の説明】
【００６４】
１０    キースイッチ構造
１１    キートップ
１４    ホルダ（支持部材）
１５    ラバードーム（弾性部材）
１６    メンブレンシート
１６ａ  上部シート（反射性シート）
１６ｂ  スペーサシート
１６ｃ  下部シート
１７    バックプレート
１８    リンク機構
１９    孔（光出射部）
２０    孔（光出射部）
２３    光透過部
２４    反射シート
２８    アッパーカバー（カバー）
Ｓ１    隙間
Ｓ２    隙間
【図１】
2015170391.tif 000003
【図２】
2015170391.tif 000004
【図３】
2015170391.tif 000005
【図４】
2015170391.tif 000006
【図５】
2015170391.tif 000007
【図６】
2015170391.tif 000008
【図７】
2015170391.tif 000009
【図８】
2015170391.tif 000010
【図９】
2015170391.tif 000011